Podtech/llm-jp-corpus-v4-ja_patent huggingface dataset:
(57)【要約】【課題】従来は食事のときに使用した爪楊枝は灰皿に入れるか食事の残り物といっしょに皿の上置いていたため、見た目に不潔であった。又、皿の上に置いていたため楊枝を流し排水管を詰まらせていた。【解決手段】  爪楊枝立てと使用済楊枝入れを一体化した事により使用した楊枝を楊枝収納ケースに入れる事ができる。【選択図】図１
2014140508.tif 000002
【特許請求の範囲】
【請求項１】
爪楊枝立て（２）と使用済楊枝入れ（３）とを一体的に結合してなる爪楊枝立て兼使用済楊枝入れ（１）であって、前記使用済楊枝入れ（３）は、使用済楊枝を入れる受部（４）とその受部（４）をカバーするカバー部（５）とで構成され、前記カバー部（５）の上面には、使用済楊枝を投入する投入口（６）が設けられ、前記使用済楊枝入れ（３）と前記爪楊枝立て（２）とが、それぞれの底面で、あるいは、側面で互いに連結されていることを特徴とする爪楊枝立て兼使用済楊枝入れ。
【請求項２】
前記使用済楊枝を入れる楊枝投入口（６）は、その使用済楊枝が入る程度の大きさに形成されて、受部（４）の中に投入された使用済楊枝が前記楊枝投入口（６）からは見え難くしている事を特徴とする請求項１に記載の爪楊枝立て兼使用済楊枝入れ。
【発明の詳細な説明】
【技術分野】
【０００１】
本発明は楊枝を使用した後、その楊枝を廃棄するための爪楊枝立て兼使用済楊枝入れに関するものである。
【背景技術】
【０００２】
従来は楊枝を使った後はテーブルの上に置いてある灰皿に入れるか食事で使用した皿の上に置いていたが、皿を洗うときに楊枝を流して排水管を詰まらせていた。
【０００３】
その外にも業務用の店では残り物の食べかすを動物の餌に使用する専門の業者に出すが、楊枝が混ざっていると動物に危害を与える事があった。
【先行技術文献】
【特許文献】
【０００４】
【特許文献１】特願  ２０１２−２３８５２５
【発明の概要】
【発明が解決しようとする課題】
【０００５】
以上に述べた従来の楊枝の廃棄の方法では灰皿に入れるか、食事の食べかすといっしょに置いていたが、最近は食堂・レストラン・家庭など殆どが灰皿を置かなくなったため食事の食べかすといっしょに置いている。そのため、皿を洗うときに楊枝を流して排水管を詰まらせていた。
【０００６】
本発明はこのような問題点を解決しようとするものであり、楊枝立てと使用した楊枝を収納する事ができる爪楊枝立て兼使用済楊枝入れを提供する。
【課題を解決するための手段】
【０００７】
上記目的を達成するために本発明は、爪楊枝立て（２）と使用済楊枝入れ（３）とを一体的に結合している爪楊枝立て兼使用済楊枝入れ（１）であって、前記使用済楊枝入れ（３）は使用済楊枝を入れる受部（４）とその受部（４）をカバーするカバー部（５）とで構成され、前記カバー部（５）の上面には、使用済楊枝を投入する投入口（６）が設けられ、前記使用済楊枝入れ（３）と前記爪楊枝立て（２）とが、それぞれの底面で、あるいは、側面で互いに連結されている。
【発明の効果】
【０００８】
上述したように本発明の爪楊枝立て兼使用済楊枝入れ（１）は一体であるため今までのように使用した楊枝を皿の中に入れたり、灰皿に入れたりする事がなくなったため、見た目が清潔できれいになった。
【０００９】
又食事の残り物といっしょに皿の中に置いたりしていたため、台所の排水管を詰まらせていたがその様な事がなくなった。
【００１０】
レストランや食堂などでは残飯を容器に詰めて業者に動物の餌として渡していたが、今までは爪楊枝が入っていたと言う苦情があったが今はなくなった。
【００１１】
皿の中に爪楊枝がなくなったため食後の皿を洗う時間が早くなった。
【図面の簡単な説明】
【００１２】
【図１】爪楊枝立て（２）と使用済楊枝を入れる受部（４）の側面下部の一部分で連結されている爪楊枝立て兼使用済楊枝入れ（１）の斜視図。
【図２】爪楊枝立て（２）と使用済楊枝入れ（３）のカバー部（５）側面と爪楊枝立て（２）の側面同士が連結されている爪楊枝立て兼使用済楊枝入れ（１）の斜視図。
【図３】爪楊枝立て（２）と使用済楊枝入れ（３）の受部（４）の底面と爪楊枝立て（２）の底面が連結部（８）を介して連結されている爪楊枝立て兼使用済楊枝入れ（１）の斜視図。
【発明を実施するための形態】
【００１３】
以下本発明の実施の形態を図１〜図３に基づいて説明する。
【００１４】
図１において爪楊枝立て兼使用済楊枝入れ（１）は爪楊枝立て（２）と使用済楊枝を入れる受部（４）とが両方の側面下部の一部分で連結され、離れる事ができないように形成され、その受部（４）の上部にはカバー部（５）が被せられ、カバー部（５）の上部の中心には使用済楊枝投入口（６）が設けられている。
【００１５】
図２において爪楊枝立て兼使用済楊枝入れ（１）は爪楊枝立て（２）とカバー部（５）の両方の側面で連結され、そのカバー部（５）でもって受部（４）を被せるように形成されている。
【００１６】
図３において爪楊枝立て兼使用済楊枝入れ（１）は爪楊枝立て（２）と受部（４）とが底面で連結部（８）を介して連結され、その受部（４）の上部にカバー部（５）を被せるように形成されている。
【００１７】
以上の各実施形態において、使用済楊枝を入れる楊枝投入口（６）は、それが入る程度の大きさに形成しているので、使用済楊枝をその楊枝投入口（６）から受部（４）の中に投入すれば、カバー部（５）で被われた受部の中が見え難くなる。したがって、使用済楊枝を露出することによる不潔感をなくすことができる。また、爪楊枝立て兼使用済楊枝入れの材質は土器・ガラス・プラスチック・ポリエステル・合成樹脂などを使用する事ができる。
【符号の説明】
【００１８】
１  爪楊枝立て兼使用済楊枝入れ
２  爪楊枝立て
３  使用済楊枝入れ
４  受部
５  カバー部
６  楊枝投入口
７  爪楊枝
８  連結部
【図１】
2014140508.tif 000003
【図２】
2014140508.tif 000004
【図３】
2014140508.tif 000005
(57)【要約】【課題】確実にプルタブ＆プルトップを垂直に起こし、人差し指の代わりのプルトップ引っ掛け用の爪と親指の代わりに反り返った柄により堅い缶詰も指爪を痛めず安全に開缶出来るプルタブ＆プルトップ全部開け太郎を提供する。【解決手段】ステンレスの尖った爪を設け、該爪の後ろに凹みを設け、該凹みの後ろの左右に出っ張りを設け、該出っ張りに滑り止めゴムコーティングを設け、出っ張りに添う三角状から直角に伸びる柄を設け、該柄の最端部から後方に反り返る柄を設け、該柄の膨らむ側に滑り止め刻みゴムを張り付け設け、柄の最端部前側から２センチ程上部にプルトップ引っ掛け用の爪を設け、伸びる柄に滑り止め刻みゴムを張り付けたことを特徴とするプルタブ＆プルトップ全部開け太郎。【選択図】図１
2014210614.tif 000002
【特許請求の範囲】
【請求項１】
ステンレスの尖った爪を設け、該爪の後ろに凹みを設け、該凹みの後ろの左右に出っ張りを設け、該出っ張りに滑り止めゴムコーティングを設け、出っ張りに添う三角状から直角に伸びる柄を設け、該柄の最端部から後方に反り返る柄を設け、該柄の膨らむ側に滑り止め刻みゴムを張り付け設け、柄の最端部前側から２センチ程上部にプルトップ引っ掛け用の爪を設け、伸びる柄に滑り止め刻みゴムを張り付けたことを特徴とするプルタブ＆プルトップ全部開け太郎。
【発明の詳細な説明】
【技術分野】
【０００１】本発明は、プルタブ及びプルトップ付き缶の全てを開けるプルタブ＆プルトップ全部開け太郎に関するものである。
【背景技術】
【０００２】従来、ステンレスの細長い板に、波型のゴムを裏表に付けて滑り止めにしたプルトップ付缶詰開け具があった。
【先行技術文献】
【０００３】
【特許文献１】
【発明の概要】
【発明が解決しようとする課題】
【０００４】その為に次のような問題があった。
（イ）爪の先が厚みがあるので缶の蓋とプルトップの隙間のない缶詰は開きづらかった。
（ロ）プルトップ付き缶詰の蓋を開ける時に親指爪を痛める恐れがあった。
本発明はこれからの問題点を解決する為になされたものである。
【課題を解決する為の手段】
【０００５】ステンレスの尖った爪を設け、該爪の後ろに凹みを設け、該凹みの後ろの左右に出っ張りを設け、該出っ張りに滑り止めゴムコーティングを設け、出っ張りに添う三角状から直角に伸びる柄を設け、該柄の最端部から後方に反り返る柄を設け、該柄の膨らむ側に滑り止め刻みゴムを張り付け設け、柄の最端部前側から２センチ程上部にプルトップ引っ掛け用の爪を設け、伸びる柄に滑り止め刻みゴムを張り付ける。
以上の特徴とするプルタブ＆プルトップ全部開け太郎である。
【発明の効果】
【０００６】確実にプルタブ＆プルトップを垂直に起こし、人差指の代わりのプルトップ引っ掛け用の爪と親指の代わりの反り返った柄により堅い缶詰も親指も指爪を傷めず開缶出来るのである。
【図面の簡単な説明】
【０００７】
【図１】本発明の側面図
【図２】本発明の正面図
【図３】本発明のプルタブ引き起こし図
【図４】本発明のプルトップ引き起こし図
【図５】本発明のプルトップ引き起こし正面図
【図６】本発明のプルトップ引っ掛け蓋開け図
【発明を実施する為の形態】
【０００８】以下、本発明の実施の形態について説明する。
（イ）ステンレスの尖った爪（１）を設け、該爪（１）の後ろに凹み（２）を設け、該凹み（２）の後ろの左右に出っ張り（３）を設ける。
（ロ）該出っ張り（３）に滑り止めゴムコーティング（４）を設け、出っ張りに添う三角状（５）から直角に伸びる柄（６）を設け、該柄（６）の最端部から後方に反り返る柄（７）を設け、該柄（７）の膨らむ側に滑り止め刻みゴム（８）を張り付け設ける。
（ハ）柄（６）の最端部前側から２センチ程上部にプルトップ引っ掛け用の爪（９）を設け、伸びる柄（６）に滑り止め刻みゴム（１０）を貼り付け設ける。
本発明は以上のような構成で、これを使用する時はステンレスの尖った爪（１）をプルタブ（１１）＆プルトップ（１２）に引っ掛けて引き起こし、プルトップ引っ掛用爪（９）でプルトップ（１２）に引っ掛けて、親指の代わりとなる滑り止め刻みゴム（８）を張り付けた後方に反り返る柄（７）によって親指爪を傷めることなく安全に開缶出来る。
【符号の説明】
【０００９】１  ステンレスの尖った爪
２  凹み
３  左右の出っ張り
４  ゴムコーティング
５  左右に出っ張りに添う三角状
６  直角に伸びる柄
７  後方にう反り返る柄
８  滑り止め刻みゴム
９  ステンレスのプルトップ用爪
１０滑り止め刻みゴム
１１プルタブ
１２プルトップ
１３ジュース缶
１４缶詰
【図１】
2014210614.tif 000003
【図２】
2014210614.tif 000004
【図３】
2014210614.tif 000005
【図４】
2014210614.tif 000006
【図５】
2014210614.tif 000007
【図６】
2014210614.tif 000008
(57)【要約】【課題】従来の書籍は文字が小さく読みにくい。文字が大きな書籍はあるが、１ページの文字数が少なくなり、ページ数が増えて読みにくい。文字を大きくして判型も大きくした書籍もあるが、書籍が重たくなり読みにくい。書籍のページ数を増やさず、判型を大きくせず、書籍を読みやすくするには、文字の大きさ、文字の形、字詰め、行間隔、ふりがなの位置を工夫する必要がある。【解決手段】書籍の文字は大きく平体にする。ふりがなは文字の下に小さく入れる。行間隔は狭くする。【選択図】図１
2014210419.tif 000002
【特許請求の範囲】
【請求項１】
文字は大きく平体にし、ふりがなは文字の下に小さく入れ、行間隔は狭くした書籍。
【発明の詳細な説明】
【技術分野】
【０００１】本発明は文字が大きく読みやすい書籍に関するものである。
【背景技術】
【０００２】従来の書籍は文字が小さく読みにくい（図２）。文字が大きな書籍はあるが、１ページの文字数が少なくなり、ページ数が増えて読みにくい（図３）。文字を大きくして判型も大きくした書籍もあるが、書籍が重たくなり読みにくい。
【発明の概要】
【発明が解決しようとする課題】
【０００３】書籍のページ数を増やさず、判型を大きくせず、書籍を読みやすくするには、文字の大きさ、文字の形、字詰め、行間隔、ふりがなの位置を工夫する必要がある。
【課題を解決するための手段】
【０００４】書籍の文字は大きく平体にする。ふりがなは文字の下に小さく入れる。行間隔は狭くする。図１に本発明による文字が大きく読みやすい書籍の１ページを示す。
【発明の効果】
【０００５】文字は大きくするが平体にすることで１行の文字数を従来の書籍と同じにできる。ふりがなは文字の下に小さく入れることで行間隔を狭くし、１ページの行数も従来の書籍と同じにできる。文字が大きく平体なので斜め横からも読みやすい書籍となる。書籍を半分ほど開いた状態や、書籍を片手に持ったとき、眼鏡をかけたときにも読みやすい。
【図面の簡単な説明】
【図１】本発明による文字が大きく読みやすい書籍の１ページ。斜め横からも読みやすい。
【図２】従来の書籍の１ページ。文字が小さく読みにくい。
【図３】従来の文字が大きな書籍の１ページ。文字数が少なく読みにくい。
【図１】
2014210419.tif 000003
【図２】
2014210419.tif 000004
【図３】
2014210419.tif 000005
(57)【要約】【課題】洗濯ハンガー本体に、吊り紐を取り付け、その両端にキッズハンガーを取り付け、洗濯物を掛け、吊り紐を上下に可動させて二段洗濯ハンガーとして使用するキッズ用二段洗濯ハンガーを提供する。【解決手段】洗濯ハンガーのフックに、吊り紐を挿通し二つ折にして、留め具を装着し、吊り紐の両端にキッズハンガーを取り付け、キッズハンガーに洗濯物を掛け、吊り紐を上下に可動させて二段洗濯ハンガーとして使用することを特徴とするキッズ用二段洗濯ハンガー。【選択図】図１
2014210149.tif 000002
【特許請求の範囲】
【請求項１】
洗濯ハンガーのフックに、吊り紐を挿通し二つ折にして、留め具を装着し、吊り紐の両端にキッズハンガーを取り付け、キッズハンガーに洗濯物を掛け、吊り紐を上下に可動させて二段洗濯ハンガーとして使用することを特徴とするキッズ用二段洗濯ハンガー。
【発明の詳細な説明】
【技術分野】
【０００１】  本発明は、子供の洗濯物を二段に干すことが出来る、キッズ用二段洗濯ハンガーに関するものである。
【背景技術】
【０００２】  従来、キッズ用ハンガーは、一段或いは、ハンガー自体に洗濯物を掛けて使用していた。
【先行技術文献】
【特許文献】
【０００３】  合成樹脂製で構成された鎖式２段式の洗濯ハンガー本体を設け、上段は小物専用の洗濯ハンガーとして使用し、下段は大物洗濯物専用洗濯ハンガーとして使用することが出来る発明が知られている。（特許文献１）。【特許文献１】特開２００６−１８７５７２号公報
【発明の概要】
【発明が解決しようとする課題】
【０００４】  それには、次のような問題があった。  （イ）  ハンガーに洗濯物を掛け、個別に干していたため、広い干場を占めていた。  （ロ）  洗濯ハサミにいちいち留めて干していた為大変面倒だった。  （ハ）  子供の多い家庭では、洗濯物が多く、洗濯ハンガーの数も必然的に多くなり、        広い干場も必要だった。  （ニ）  ハンガー下に無駄に広い空間が生じていた。      本発明は、これらの問題点を解決するためになされたものである。
【課題を解決するための手段】
【０００５】  洗濯ハンガーのフックに、吊り紐を挿通し二つ折にして、留め具を装着し、吊り紐の両端にキッズハンガーを取り付ける。そしてキッズハンガーに洗濯物を掛け、吊り紐を上下に可動させて二段洗濯ハンガーとして使用する。以上を特徴とするキッズ用二段洗濯ハンガーである。
【発明の効果】
【０００６】  二段に使えるので、従来の広さで、二倍の洗濯物を干すことが出来る。
【図面の簡単な説明】
【０００７】
【図１】本発明の斜視図
【図２】本発明の収納する際のハンガーの状態を示す斜視図
【図３】本発明の使用状態を示す斜視図
【発明を実施するための形態】
【０００８】  図面に基づいて発明を実施するための実施形態を説明する。
【実施例１】
【０００９】  従来の洗濯ハンガーの本体（１）のハンガー取り付けフック（２）に、上下に自在可動する布地等からなる約４０センチの帯状の吊り紐（３）を挿通して、二重に折り曲げ留め具（４）を装着し、吊り紐の両端にそれぞれキッズハンガー（５）を取り付ける。  本発明は、以上の構成によりなっている。  これを使用する時は、双方のキッズハンガー（５）に洗濯物（６）を掛け、吊り紐（３）を上下に可動させることで、二段洗濯ハンガーとして使用する。この結果従来の同スペースで二倍の洗濯物を干すことが出来る。【００１０】  以上本発明の実施の形態および実施例を説明したが、本発明の範囲はこれに限定されるものではない。【００１１】  例えば、洗濯ハンガー本体（１）は、バー形式のものが一般的であるが、折りたたみ形式いずれも制限されない。【００１２】  吊り紐（３）の部材は、布地に限らず、金属、皮革、合成樹脂等、種類、形状、材質等については、吊り紐（３）としての機能を発揮できる限り制限されない。【００１３】  留め具（４）の部材、形状、材質等については、吊り紐（３）の可動を制動する機能を発揮できる限り制限されない。
【符号の説明】
【００１４】  １洗濯ハンガー本体  ２フック  ３吊り紐  ４留め具  ５キッズハンガー  ６洗濯物
【図１】
2014210149.tif 000003
【図２】
2014210149.tif 000004
【図３】
2014210149.tif 000005
(57)【要約】【課題】    自然災害での防災用やレジャー．運動．日常用として水にも浮き水陸両用に用途も幅広く．マットを出し入れできる、持ち運び折りたたみ自由でマット同士が連結可能な水に浮く連結型の万能マットを提供する。【解決手段】    発泡樹脂体（７）の表面に傷避けシート（８）を貼り付けた２枚の発泡樹脂板（２）をマットカバー（１）の中に納め固定テープ（６）で仮止めする、マットカバーのサイド各角部に連結部（３）を設け．サイド中央部に取っ手部（５）を設ける、マットの裏面にも連結紐（４）を設ける。これにより水害ではマットは水に浮きマット同士を連結して浮力効果を高め．取っ手部に掴まったり紐．物も縛れるので救命用に使える。陸上ではマットは折りたたみ自由で立つので連結して担架や避難具など防災用に使え、持ち運びが可能なのでレジャーや運動面．日常面で多目的に便利に活用できるのを特徴とする。【選択図】図１
2014210144.tif 000002
【特許請求の範囲】
【請求項１】
発泡樹脂体の表面に傷避けシートを貼り付けた２枚の発泡樹脂板をマットカバー内の左右に納めて固定テープで仮止めする、マットカバーの各サイド角部に連結部を設ける、マットカバーの両面サイド中央にバンドの取っ手部を設ける．マットカバーの裏面に連結紐を設けた、折りたたみ持ち運び自由な．水に浮く連結型の万能マット。
【発明の詳細な説明】
【技術分野】
【０００１】この発明は自然災害やレジャーにおいて水陸両用に防災用や日常用として多目的に活用できる、水に浮く連結型の万能マットに関するものである。
【背景技術】
【０００２】従来、地震や水害などの自然災害で防災用として水に浮き．担架や避難用具になりレジャーや運動としても使える折りたたみ持ち運び自由な連結型で万能タイプのマットがなかった。
【先行技術文献】
【特許文献】
【０００３】
【特許文献１】
【非特許文献１】
【発明の概要】
【発明が解決しようとする課題】
【０００４】従来、マットは敷物用だけにある、このため自然災害での水害や陸上避難時での防災用としては何ら役に立たなかった、また．持ち運ぶにも取っ手部がなく不便でマット同士の連結が出来ないので用途も敷物だけに限られていた。
本発明は．以上のような欠点をなくすためになされたものである。
【課題を解決するための手段】
【０００５】発泡スチロールなどの発泡樹脂体（７）の表裏に傷割れを防ぐ薄手の傷避けシート（８）を貼り付けた２枚の発泡樹脂板（２）を折りたたみ自由なマットカバー（１）の左右から中に納めて抜けないように固定テープ（６）などで仮止めする。マットカバーのサイド各角部にマット同士を連結するためにバックルなどの連結部（３）を設け、マットカバーのサイド中央部にバンドによる取っ手部（５）を設ける、マットカバーの裏面にもマット同士が離れないための連結紐（４）を設ける。
本発明は．以上の構成からなる水に浮く連結型の万能マットである。
【発明の効果】
【０００６】２枚の発泡樹脂板をマットカバーの左右に納め抜けないようカバーの固定テープで仮止めするので発泡樹脂板の出し入れとマットの折りたたみが自由である、マットカバーのサイド各角部とカバー裏面に連結部を多く設けてあるのでマット同士が連結して離れない、マットカバーのサイド両面中央部にマットを運ぶためのバンドによる取っ手部を設けてあるので持ち運びが楽であり担架にもなり命綱や紐類の縛りが可能である。発泡樹脂板によりマットは水に浮き多数のマット同士を連結することにより浮力効果が高くなり救命用に使える、マットは折りたためるので場所を取らなくマット同士を上下左右に連結すれば防災．レジャー．運動面など日常的に多目的に活用できる万能タイプのマットである。
【図面の簡単な説明】
【０００７】
【図１】マット本体の外部裏面と内部一部を示す斜視図である。
【図２】マット本体の表面を示す平面図である。
【図３】マット本体の横表面を示す側面図である。
【図４】マット本体の折りたたみを示す正面図である。
【図５】マット本体の内部を示す断面図である。
【図６】マット同士の連結を示す斜視図である。
【発明を実施するための形態】
【０００８】以下、本発明を実施するための形態について説明する。
折りたたみ自由なマットカバー（１）の左右から発泡樹脂板（２）を中に納めて抜けないように固定テープ（６）で仮止めする、マットカバーのサイド各角部８箇所に他のマットと連結するためのバックルなどの連結部（３）を設け．マットカバーのサイド中央部に４箇所のバンドによる取っ手部（５）を設ける、マットカバーの裏面にもマット同士が離れないための連結紐（４）を設ける。
本発明は以上のような構造である。
これによりマットは水に浮き折り曲げが自由でバックルなどの連結部によって他のマットとの連結が可能となる、マットは立ち浮力効果も高くなり水害での救命用、陸上でのベッド．防音．クッション．雨風避け．プライバシー保護．護身用として使える。取っ手部が付いているため担架にもなり命綱や紐や物も縛ることができ防災用にも用途が広い。発泡樹脂板は出し入れが自由なのでマットカバーの洗濯も可能である。
【符号の説明】
【０００９】１    マットカバー
２    発泡樹脂板
３    連結部
４    連結紐
５    取っ手部
６    固定テープ
７    発泡樹脂体
８    傷避けシート
【図１】
2014210144.tif 000003
【図２】
2014210144.tif 000004
【図３】
2014210144.tif 000005
【図４】
2014210144.tif 000006
【図５】
2014210144.tif 000007
【図６】
2014210144.tif 000008
(57)【要約】      （修正有）【課題】パターの芯でボールをヒットすることが簡単にできるようになり目標に向かって打ちやすく左右にぶれにくくボールの転がりも良くなりカップインが容易となるパターを提供する。【解決手段】パターのソール（打球面）中央をボール大の円形状にする。また、パターのソウル（打球面）に厚さ１〜５ｍｍ板をセットしボール形状の直径は約ボール直径と同等にする。【選択図】図−１
2014210147.tif 000002
【特許請求の範囲】
【請求項１】
ゴルフクラブパターのソール（打球面）の中心を円形にしたものである。
【請求項２】
パターのソウル（打球面）に厚さ１〜５ｍｍ板をセットしボール形状の直径は約ボール直径と同等にする。
【発明の詳細な説明】
【技術分野】
【０００１】本発明はパターヘッドのソウル形状変更を図ったゴルフ用品パターヘッドに関するものです。【０００２】従来のパターでパッテイングをする時パターの芯でボールをヒットすることが非常にむつかしく、ボールの転がりが悪くショートしたり曲がったり又方向性も悪い。
【発明の開示】
【発明が解決しようとする課題】
【０００３】パターのソウル（打球面）を円形状にすることによりボールの中心にセットし易くパターの芯でボールをヒットすることが簡単にできるようになり目標に向かって打ちやすく左右にぶれにくくボールの転がりも良くなりカップインが容易となります。
【発明の効果】
【０００４】ゴルファーが本パターを使用することでパットに自信がつきスコアーがアップしゴルファーのレベルアップとなる。プレイヤーがより楽しくプレイ出来るようになりゴルフの発展に寄与するものと考える。
【図面の簡単な説明】Ｄ寸法は・・・約ボール直径とする。
ｄ寸法は・・・約１〜１０ｍｍとする。
Ａ面とＢ面は材質は同じで色は変える。
【図−１】
2014210147.tif 000003
(57)【要約】【課題】これまでは電気髭剃り器のトリマーで切った髭または揉み上げ毛を集塵する手段がなく飛散して使い勝手がよくなかった。【解決手段】このような課題を克服するために本発明に係わる電気髭剃り器のトレー付きトリマーは、トリマー３の刃の下側に取り付ける合成樹脂が主原料の合成紙を成型したトレー４と、該トレー４とトリマー３の間に配設したスプリング５で構成されていて、トレー４の両側面の上下中間位置にはそれぞれ予め一本の折り目が成型されている。トリマー３が電気髭剃り器本体１に収納されると両側面が内側に畳まれて電気髭剃り器本体１とトリマー３の間に収納される。電気髭剃り器本体１からトリマー３とトレー４を上げると、該トレー４は自然に成型された形状に戻るがスプリング５はその動きを補助していることを特徴とする。【選択図】図１
2014210142.tif 000002
【特許請求の範囲】
【請求項１】
合成樹脂が主原料の合成紙に熱を加えて成型したトレーと、該合成紙とトリマーの間に配設したスプリングで構成されていて、該トレーは両側面の上下中間位置にそれぞれ予め一本の折り目が成型されて、トリマーの刃の下側に両側面の一端がトリマーの壁面に接着剤または溶着でそれぞれ固定されていて、トリマーとトレーを電気髭剃り器本体から上げるとトレーは成型された形状に自然に戻ってトリマーから離れ、トリマーを電気髭剃り器本体に収納すると、トレーは電気髭剃り器本体とトリマーに挟まれて両側面が内側に畳まれて形状が薄くなり、所定の位置に収納されることを特徴とする電気髭剃り器のトレー付きトリマー。
【発明の詳細な説明】
【技術分野】
【０００１】本発明は電気髭剃り器のトリマーに取り付けるトレーに関する。
【背景技術】
【０００２】電気髭剃り器またはトリマー付きの電気髭剃り器で切られた髭または髪が飛散しないように前掛け（特許文献１参照）が提案されている。
【先行技術文献】
【特許文献】
【０００３】
【特許文献１】特公開  ２００１−６４０９７
【発明の概要】
【発明が解決しようとする課題】
【０００４】電気髭剃り器のトリマーで切った髭または揉み上げ毛を集塵する手段がなく飛散して使い勝手がよくなかった。
【課題を解決するための手段】
【０００５】このような課題を克服するために本発明に係わる電気髭剃り器のトレー付きトリマーは、トリマーの刃の下側に取り付ける合成樹脂が主原料の合成紙を成型したトレーと、該合成紙とトリマーの間に配設したスプリングで構成されている。【０００６】前記トレーの両側面の上下中間位置にはそれぞれ予め一本の折り目が成型されていて、トリマーが電気髭剃り器の本体に収納されると両側面が内側に畳まれて、電気髭剃り器本体とトリマーの間に収納される。トリマーとトレーが起こされるとトレーは自然に成型された形状に戻るがスプリングはその動きを補助している。
【発明の効果】
【０００７】本発明によれば、電気髭剃り器のトリマーで髭または揉み上げ毛を切って飛散することなくトレーに集塵し、部屋の中でも使用可能でトレーの掃除も容易である。
【図面の簡単な説明】
【０００８】
【図１】本発明の実施の形態の電気髭剃り器のトレー付きトリマーの外観図である。
【図２】同トリマーを電気髭剃り器本体に収納した時の拡大側面図である。
【図３】同トリマーを電気髭剃り器本体から上げる中間位置の拡大側面図である。
【図４】同トリマーを電気髭剃り器本体から上げた位置の拡大側面図である。
【図５】同トレーの拡大外観図である。
【図６】同トレーが電気髭剃り器本体に収納された状態の拡大外観図である。
【図７】同スプリングの拡大外観図である。
【発明を実施するための形態】
【０００９】以下図面に基づき本発明の実施の形態について説明する。
トレー４は合成樹脂が主原料の合成紙で熱を加えて成型し、肌に触れる底板部分は丸みをつけて折り返して肌を保護するとともに変形しないように強度を増している。反対側の底板部分のエッジも同じように折り返している。
【００１０】前記トレー４はトリマー３の壁面に接着剤または溶着で両側面の一端がそれぞれ固定されている。該トレー４とトリマー３の間に配設されるスプリング５は、コイル部分がトリマー３に一体成型された円柱ボス（図示せず）に挿入されて、一端はトリマー３の壁面に当たって固定され、他端はトレー４の底板に当たって該トレー４を常時トリマー３から引き離すように作用している。
【００１１】次に作用について説明する。
トリマー開閉ノブ６をスライドさせてトリマー３とトレー４を電気髭剃り器本体１から上げると、トレー４は成型された形状に自然に戻ってトリマー３から離れる。この時スプリング５が働いて戻る動きを助ける。トリマー３を電気髭剃り器本体１に収納すると、トレー４は電気髭剃り器本体１とトリマー３に挟まれて両側面が内側に畳まれて形状は薄くなり所定の位置に収納される。
【００１２】従来の電気髭剃り器では、トリマー３で切られた髭または揉み上げ毛が飛散して使い勝手が悪く、洗面所または浴室での使用に限られていた。トレー４を取り付けて切られた髭または揉み上げ毛を集塵すると部屋の中でも使用できて使い勝手が良く、水洗いが可能で掃除も容易である。
【符号の説明】
【００１３】      １  電気髭剃り器本体
２  髭剃り刃
３  トリマー
４  トレー
５  スプリング
６  トリマー開閉ノブ
【図１】
2014210142.tif 000003
【図２】
2014210142.tif 000004
【図３】
2014210142.tif 000005
【図４】
2014210142.tif 000006
【図５】
2014210142.tif 000007
【図６】
2014210142.tif 000008
【図７】
2014210142.tif 000009
(57)【要約】      （修正有）【課題】従来の沸騰を知らせるやかんは沸騰する蒸気の圧力で笛を鳴らす仕掛けである。そのため、やかんの注ぎ口・蓋を密閉しなくてはいけない。おのずと、やかんのデザインが限られ、笛の鳴る音がうるさく感じる人がいる。これらの欠点を除くやかんを提供する。【解決手段】本考案は、やかんの注ぎ口から蒸気漏れを止めるパッキン３を付けた注ぎ口蓋４を設け、その注ぎ口蓋４の上部に熱伝導の低い素材のツマミ５を設け、注ぎ口蓋４下部の重りガイド６がやかん注ぎ口の内側に沿う構造として、そこでツマミ５の内部に温度センサー８・チャイム９を設け側面に太陽電池１０を設けた、重りガイド６の内部に沸騰感知抗）を設けた構造のやかんの注ぎ口蓋４である。【選択図】図４
2014210151.tif 000002
【特許請求の範囲】
【請求項１】
やかん（１）の注ぎ口（２）から蒸気が漏れない注ぎ口蓋（４）を設け、その注ぎ口蓋（４）の上部に熱伝導の低い素材のツマミ（５）を設け、注ぎ口蓋（４）の下部に重りガイド（６）を設けた構造とし、ツマミ（５）の内部に温度センサー（８）・チャイム（９）を設け側面に太陽電池（１０）を設け、重りガイド（６）の内部に、沸騰感知抗（７）を設けた構造である。
そこで、やかんの沸騰が沸騰感知抗（７）を通じて来る熱を温度センサー（８）で感知し太陽電池（１０）の電源よりチャイム（９）が鳴る事でやかんの沸騰を知る事が出来る注ぎ口蓋（４）である。
【発明の詳細な説明】
【技術分野】
【０００１】  本発明はやかん（１）の注ぎ口（２）に注ぎ口蓋（４）を設け、その注ぎ口蓋（４）の内部に沸騰感知抗（７）・温度センサー（８）・チャイム（９）を設け側面に太陽電池（１０）を設けたやかんの沸騰を知らせる装置である。
【背景技術】
【０００２】  従来の沸騰を知らせるやかんは、蒸気の噴き出す力で笛を鳴らす構造である、その為やかんの内圧を高めるため、やかんの注ぎ口・蓋を密閉状態にしなくてはいけない、そのためにやかんのデザインが限られる。
【発明の開示】
【発明が解決しようとする課題】
【０００３】  これは次のような欠点があった。
（イ）従来の沸騰を知らせるやかんは蒸気の圧力で笛を鳴らす構造ある、その為やかんの注ぎ口・蓋を密閉状態にしなくていけないので、やかんのデザインが限られる。
（ロ）従来の沸騰を知らせるやかんは、出る音が高音なので、人によっては、うるさく感じる。
本発明は、これらの欠点を除くためになされたものである。
【課題を解決するための手段】
【０００４】  本発明はやかんの注ぎ口と注ぎ口蓋（４）との間にパッキン（３）を設け、蒸気が漏れない注ぎ口蓋（４）を設ける、その注ぎ口蓋（４）の上部に熱伝動の低い素材のツマミ（５）を設け、又、注ぎ口蓋（４）下部の重りガイド（６）が、やかん（１）の注ぎ口（２）の内側に沿うようにした構造である、そして、ツマミ（５）の内部に温度センサー（８）・チャイム（９）を設け、側面に太陽電池（１０）を設ける、又、注ぎ口蓋（４）下部の重りガイド（６）の内部に沸騰感知抗（７）を設けた。
又、注ぎ口（２）と注ぎ口蓋（４）からの蒸気漏れはパッキン（３）と注ぎ口蓋（４）の下部の重りガイド（６）の重さで蒸気を止める。
本発明は、以上のような構成よりなる、やかんの沸騰を知らせる注ぎ口蓋である。
【発明の効果】
【０００５】  やかん（１）の注ぎ口（２）に本発明の注ぎ口蓋（４）の重りガイド（６）をやかん（１）の注ぎ口（２）に挿入して使用する方法だから色々なデザインのやかんが沸騰を知るやかんになり、今まで沸騰で鳴る笛がうるさく感じていた人も気持ち良くお湯を沸かし沸騰をチャイム（９）で知る事が出来、空だきも無くなる。
又、注ぎ口蓋（４）の重りガイドをやかんの注ぎ口（２）に挿入しなければ、普段道理のやかんとして使用できる。
【発明を実施するための最良の形態】
【実施例】
【０００６】  以下、本考案の実施の形態について説明する。
（イ）やかん（１）の注ぎ口（２）に蒸気が漏れないようにパッキン（３）を付けた注ぎ口蓋（４）を設ける。
（ロ）注ぎ口蓋（４）上部に熱伝導の低い素材のツマミ（５）を設ける。
（ハ）注ぎ口蓋（４）下部に重りガイド（６）を設ける。
（ニ）注ぎ口蓋（４）上部のツマミ（５）内部に温度センサー（８）・チャイム（９）を設け側面に太陽電池（１０）を設ける。
（ホ）注ぎ口蓋（４）下部の重りガイド（６）の内部に沸騰感知抗（７）を設ける。
本考案を使用するときは、やかんに水を入れ、そこに本考明の注ぎ口蓋（４）下部の重りガイド（６）をやかん（１）の注ぎ口（２）に挿入して、やかんをコンロにかけ、お湯を沸かす、そこで重りガイド（６）内部の沸騰感知抗（７）を通じて来た熱を温度センサー（８）で感知し太陽電池（１０）の電源でチャイム（９）が鳴る事で、やかん（１）のお湯が沸騰した事が解かる、そこでコンロの火を消し注ぎ口蓋（４）をやかん（１）の注ぎ口（２）から抜き取る事で本来のデザインのやかんとして使用できる。
なお、チャイムの代わりにベル・ブザー・電子音、又、ＬＥＤ、その他の明かりでも、沸騰を知らせる装置に替えても良い、又、太陽電池も詰替えの乾電池に替えても良い。
【図面の簡単な説明】
【０００７】
【図１】  本発明の機能ブロック図である。
【図２】  本発明の注ぎ口蓋の重りガイドを注ぎ口に挿入したやかんの図である。
【図３】  本発明の斜視図である。
【図４】  図３のａ線の断面図である。
【符号の説明】
【０００８】  １  やかん
２  注ぎ口
３  パッキン
４  注ぎ口蓋
５  ツマミ
６  重りガイド
７  沸騰感知抗
８  温度センサー
９  チャイム
１０  太陽電地
【図１】
2014210151.tif 000003
【図２】
2014210151.tif 000004
【図３】
2014210151.tif 000005
【図４】
2014210151.tif 000006
(57)【要約】【課題】掛け布団２枚をずらして接合し、生活様式の変化によって掛け布団のサイズを変換する。【解決手段】それぞれ着脱部材を取り付けた掛け布団１と掛け布団２をずらして接合しサイズを変換する。【選択図】図３
2014210152.tif 000002
【特許請求の範囲】
【請求項１】
２枚の掛け布団を任意の位置でずらして接合、分離可能とする着脱部材を備えた掛け布団。
【発明の詳細な説明】
【技術分野】
【０００１】  本発明は掛け布団のサイズを変えるための着脱部材の取り付け位置に関する。
【背景技術】
【０００２】  従来、厚みの異なる２つの掛け布団をホック等の着脱部材で止めたり外したりして、気温や使用者の体感温度により掛け布団の厚さを調整するという掛け布団はあった。その布団に付加された着脱部材の目的は、２枚のふとんをしっかりと結合することを目指すもので、２枚のふとんをずらして結合することでふとんのサイズを変えることを目指すものではなかった。
【発明の概要】
【発明が解決しようとする課題】
【０００３】  これまでは、掛け布団使用者の生活様式の変化によって掛け布団のサイズが変わる場合、掛け布団のサイズを変えることは当然出来なかった。
【課題を解決するための手段】
【０００４】  本発明はシングルサイズの同じ厚さの掛け布団２枚に、任意の大きさにずらして接合、分離することができる着脱部材を付加した。この着脱部材で掛け布団同士を接合、分離することで、シングルサイズの掛け布団２枚・ダブルサイズの掛け布団１枚・クィーンサイズの掛け布団１枚の３通りの使い方ができる掛け布団となる。また、接合、分離可能とする着脱部材の位置によっては、２枚の掛け布団をダブルサイズ・クィーンサイズ以外の大きさに変換することも可能である。
【図面の簡単な説明】
【０００５】
【図１】本発明の着脱部材を付加した掛け布団１の正面図である。
【図２】本発明の着脱部材を付加した掛け布団２の正面図である。
【図３】本発明の着脱部材を付加した掛け布団１と２をずらして止めた正面図である。
【図４】本発明の着脱部材を付加した掛け布団１と２をさらにずらして止めた正面図である。
【図５】本発明の着脱部材を付加した掛け布団１と２をずらして止めた断面図である。
【発明を実施するための形態】
【０００６】  本発明の布団は、図１に示されるように、２枚の布団をずらして接合することを目的とした着脱部材を付加している。
【実施例】
【０００７】  図３に示されるように、サイズｘのシングルサイズの掛け布団１とシングルサイズの掛け布団２をｙもしくはｚの長さほどずらして着脱部材で接合することで掛け布団のサイズをダブルサイズもしくはクィーンサイズに変換することができる。ここでいう、シングルサイズとは１３０ｃｍから１６０ｃｍの長さとし、ダブルサイズとは１８０ｃｍから２００ｃｍの長さとし、クィーンサイズとは２００ｃｍから２２０ｃｍの長さとする。
【符号の説明】
【０００８】１  掛け布団
２  掛け布団
１ａ  着脱部材
１ｂ  着脱部材
１ｃ  着脱部材
１ｄ  着脱部材
１ｅ  着脱部材
１ｆ  着脱部材
１ｇ  着脱部材
１ｈ  着脱部材
２ａ  着脱部材
２ｂ  着脱部材
２ｃ  着脱部材
２ｄ  着脱部材
２ｅ  着脱部材
２ｆ  着脱部材
２ｇ  着脱部材
２ｈ  着脱部材
【図１】
2014210152.tif 000003
【図２】
2014210152.tif 000004
【図３】
2014210152.tif 000005
【図４】
2014210152.tif 000006
【図５】
2014210152.tif 000007
(57)【要約】      （修正有）【課題】浮力を利用して水中で上腕及び胸筋を鍛えることが出来、かつ浮力を調節することによって、各自の体力に合わせたトレーニングが行えるように工夫され、併せて握力の増強を図る事が可能で、さらに二次的効果として、浮力調節は重量調節でもあることからダンベルとしても使用できるトレーニング用具の提供。【解決手段】中空容器１にキャップ２および取っ手３を備え、取っ手３には更に握力鍛錬用のバネ４を備える。中空容器１内部に液体を封入し、水中での浮力を調節した上で、鍛錬者は水中において中空容器に発生する浮力に抗して鍛錬を行う。更にバネ４を使用して握力の鍛錬を同時に行うことが可能である。水中以外においては中空容器１内部に満たす液体の量を調節し、ダンベルとして使用可能になる。【選択図】図１
2014210154.tif 000002
【特許請求の範囲】
【請求項１】
キャップ付き中空容器とバネ付取っ手を組み合わせたトレーニング用具
【発明の詳細な説明】
【技術分野】
【０００１】  本発明は胸筋、上腕筋、握力を鍛えるトレーニング用具に関するものである。
【背景技術】
【０００２】  従来、プール等水中で行われるトレーニングにおいては、歩行及び全身ケアが多く、上腕、胸筋等の上半身を鍛えるトレーニング法があまりなかった。そこで、水水中歩行をしながら浮を沈める運動を繰り返していたところ、かなりの効果が見られた。また、浮に取っ手が無かったので、手指、握力を鍛える取っ手が付いていれば便利である。
なお、浮力を利用した水中トレーニング用具として下記の物がある。
【特許文献１】  登録実用新案第３１２３５１５号
【発明の開示】
【発明が解決しようとする課題】
【０００３】  水中歩行の際、浮を沈める運動を繰り返すことが胸筋、上腕筋の鍛錬に効果あったので、浮力を調節することによって各個の体力に応じた上腕、胸筋の鍛練が出来るようにし、併せて握力の強化も図れる安全なトレーニング用具を提供する。
本発明は、以上の問題点を解決するためになされたものである。
【課題を解決するための手段】
【０００４】  キャップ付中空容器にバネ付取っ手を取り付け、容器に液体等を入れることによって浮力の調節を行い、バネ付取っ手を握ることにより握力の強化も図れる。また、中空容器に液体等を入れることによって重量が増し、ダンベルとしても使用できる、中空容器とバネ付取っ手を組み合わせたトレーニング用具。
なお、液体等を入れてダンベルとして使用できる容器としては下記の物がある。
【特許文献２】  登録実用新案第３０８７８５１号
【発明の効果】
【０００５】  中空容器とバネ付取っ手を組み合わせたトレーニング用具を使用することにより、水中でも浮力を利用した腕立て伏せやダンベル運動と同等のトレーニングが出来るようになった。中空容器に液体を入れて、浮力を調節することも出来るので、年齢、性別、体力各個に応じたトレーニングが可能で、浴槽でも使用できるのでリハビリにも適している。バネ付取っ手を握ることにより握力の増強も図れる。容器に液体等を入れてダンベルとしても使えるので、一石三鳥の効果が得られる。
【発明を実施するための最良の形態】
【０００６】以下、本発明の実施の形態を説明する。
（イ）中空容器（１）はキャップ（２）付とし、容器は密閉できる。
（ロ）中空容器（１）の胴体に取っ手（３）を取り付ける。
（ハ）取っ手（３）の握り部にはバネ（４）を装着する。
本発明は以上のような構造である。
本発明を使用するときは、取っ手（３）の握り部をバネ（４）と共に握り、用具全体を水中に沈める運動を繰り返すことによって、トレーニングを行う。中空容器（１）の中に液体等を入れることによって浮力を調節し、体力に応じた強度のトレーニングを選ぶ。握りバネ（４）は握ったり離したりすることによって、握力強化につながる。また、中空容器（１）に液体等を入れた状態でダンベルとしても使える。
【図面の簡単な説明】
【０００７】
【図１】本発明の側面図
【図２】本発明の正面図
【符号の説明】
【０００８】（１）中空容器、（２）キャップ、（３）取っ手、（４）バネ、
【図１】
2014210154.tif 000003
【図２】
2014210154.tif 000004
(57)【要約】【課題】マスクの紐はゴムの長さや強さが製品ごと一律に作られており、マスクの使用者ごと微妙に違う顔のサイズや耳の位置に、ゴムの長さや強さを完全に合わせるための調節は出来なかった。そのためマスクを装着した際、ゴムが短かったり強すぎた場合、紐が耳の裏側に強く当たり耳が痛くなってしまっていた。逆にゴムが長かったり弱い場合、紐は緩くなってしまいマスク本体が顔に密着せず、マスクの効果を発揮しないなどの問題があった。  本発明は、使用者ごと微妙に違う顔のサイズや耳の位置に合わせ、ゴムの長さや強さを微細に調節でき、耳に痛みが生じない快適な状態でマスクを装着できる、紐調節具付きマスクを提供する。【解決手段】マスク本体の両端に紐を設け、紐の途中にゴムの長さや強さを調節するための、調節部を設けたことを特徴とする紐調節具付きマスク。【選択図】図１
2014210153.tif 000002
【特許請求の範囲】
【請求項１】
マスク本体に設けた紐の途中に、変形可能で変形状態を保持し得る調節部を設けた紐調節具付きマスク。
【請求項２】
マスク本体に設けた紐の途中内部に、変形可能で変形状態を保持し得る芯を設け調節部とした請求項１の紐調節具付きマスク。
【請求項３】
マスク本体に設けた紐の途中に、変形可能で変形状態を保持し得る芯を内部に設けた筒を接合して調節部とした請求項１の紐調節具付きマスク。
【発明の詳細な説明】
【技術分野】
【０００１】  本発明は、使用者ごと微妙に違う顔のサイズや耳の位置に合わせ、ゴムの長さや強さを微細に調節でき、耳に痛みが生じない快適な状態でマスクを装着できる、紐調節具付きマスクに関するものである。
【背景技術】
【０００２】  従来、マスクの紐はゴムの長さや強さが製品ごとに一律に作られていて、その長さや強さを調節することは出来なかった。なおこの際、ゴムの長さを調整できるマスクのゴム調整具が知られている（特許文献１参照）。
【先行技術文献】
【特許文献】
【０００３】
【特許文献１】  特開２００７−１６００４８号公報
【発明の概要】
【発明が解決しようとする課題】
【０００４】  そのために、次のような問題点が有った。
マスクの紐はゴムの長さや強さが製品ごと一律に作られており、マスクの使用者ごと微妙に違う顔のサイズや耳の位置に、ゴムの長さや強さを完全に合わせるための調節は出来なかった。そのためマスクを装着した際、ゴムが短かったり強すぎた場合、紐が耳の裏側に強く当たり耳が痛くなってしまっていた。逆にゴムが長かったり弱い場合、紐は緩くなってしまいマスク本体が顔に密着せず、マスクの効果を発揮しないなどの問題があった。
本発明は、以上の問題点を解決するためになされたものである。
【課題を解決するための手段】
【０００５】マスク本体の両端に紐を設け、紐の途中にゴムの長さや強さを調節するための調節部を設ける。以上の構成よりなる紐調節具付きマスク。
【発明の効果】
【０００６】  本発明を使用することによって、使用者ごと微妙に違う顔のサイズや耳の位置に合わせ、ゴムの長さや強さを微細に調節でき、耳に痛みが生じない快適な状態でマスクを装着できる。
【図面の簡単な説明】
【０００７】
【図１】本発明の斜視図
【図２】本発明の調節部切断面図
【図３】本発明の調節部切断面図
【図４】本発明の使用状態図
【発明を実施するための形態】
【０００８】  以下、本発明の実施の形態を説明する。
図１に示すように、マスク本体（１）の両端に紐（２）を設け、紐（２）の途中にゴムの長さや強さを調節できる調節部（３）を設ける。
図２に示すように、指で簡単に変形させることができ、しかもマスクを装着した際のゴムによる引張り力に抗して、前記変形状態を保持し得る芯（４）を、紐（２）の途中内部に設け調節部（３）とする。または、図３に示すように、上記の芯（４）を内部に設けた布または紙などの素材による筒（５）の両端を、紐（２）の途中に、接着剤または電気加熱あるいは超音波によるスポット溶接、または縫合などによる接合部（６）で接合し調節部（３）とする。
芯（４）は鉄、アルミニウム等の金属製ワイヤー、または前記金属製ワイヤーを樹脂等によって被膜したもの、またはポリエチレンなどの樹脂製ワイヤーなど。芯（４）の両端切断部は鋭利な形状でなく丸みを帯びた形状や、バリなどを取り除いた安全な形状が望ましい。
本発明は以上のような構造である。
本発明を使用する時は図４に示すように、マスク本体（１）を顔に当て、両側それぞれの紐（２）を耳に掛け装着し、調節部（３）を折り曲げ変形させることでゴムの長さや強さを微細に調節し、使用者ごと微妙に違う顔のサイズや耳の位置に合わせ、耳に痛みが生じない快適な状態でマスクを装着する。
【符号の説明】
【０００９】    １  マスク本体
２  紐
３  調節部
４  芯
５  筒
６  接合部
【図１】
2014210153.tif 000003
【図２】
2014210153.tif 000004
【図３】
2014210153.tif 000005
【図４】
2014210153.tif 000006
(57)【要約】【課題】  従来のエアコンは、冷房運転の排熱を、そのまま外気に放熱して捨ていたが、その熱を有効利用して、湯を沸かす事を目的とする。【解決手段】  本発明は、ヒートポンプエアコンの室内機１で集熱した熱を、屋外機２の冷媒ガス循環経路で空冷放熱用熱交換器の直前に湯沸し用熱交換器を直列に追加接続して排熱する前に湯を沸かし、タンクに貯湯する事で排熱を利用して湯を沸かすシステムを構成する。【選択図】図１
2014016140.tif 000002
【特許請求の範囲】
【請求項１】
ヒートポンプエアコンの冷房運転時、室内機で集熱した熱を利用して湯を沸かす事を目的とする。
【発明の詳細な説明】
【技術分野】
【０００１】ヒートポンプエアコンの冷房運転時、室内機で回収した熱を大気中に放熱する前に排熱を有効利用して湯を沸かす為の技術である。
【発明の概要】
【課題を解決するための手段】
【０００２】冷房運転時に、室内機１で回収した熱は、屋外機２の熱交換機から、無駄に排熱していた、その熱を利用して湯を沸かすようにする。【０００３】冷房運転時、エアコン屋外機２の冷媒ガス循環経路で放熱用熱交換器の直前に水冷用の熱交換機４を直列に追加して、冷却熱交換と同時に湯を沸かしてタンク３に貯湯する事で温水器として利用する事ができる。
【発明の効果】
【０００４】従来のエアコンは冷房中、室内で回収した熱は大気中へ無駄に放出していたが、その熱を利用して湯を沸かし、給湯器として利用が出来る。【０００５】従来、大気中に空冷放熱していた熱を利用して湯を沸かす工程は、水冷とする冷却と同じで、空冷に対して、冷房能率は向上する為、節電にもなる。【０００６】エアコンの屋外機から大気中に放出する熱は、ヒートアイランド現象を発生させるが、その熱で湯を沸かす事は、捨てる熱を水中に保存する為、直接に大気を加熱する割合を減らし、環境に対する負荷も低減出来る。
【図面の簡単な説明】
【０００７】
【図１】ヒートポンプエアコン・冷房運転時の配管接続図、室内機１で集熱して屋外機２の熱交換器から排熱する直前に、熱交換器４で湯を沸かした後に大気中へ放熱する図を示す。
【符号の説明】
【０００８】１…室内機          ２…屋外機        ３…湯沸し用熱交換器        ４…貯湯タンク５…給湯管          ６…給水管
【図１】
2014016140.tif 000003